(57)【特許請求の範囲】
【請求項１】
インクジェットプリントヘッドに信号を伝送するためのインクショート保護システムであって、
第１端子および第２端子を有する差動信号伝送ドライバと、
第１端子および第２端子を有する差動信号伝送レシーバと、
前記第１端子間で直列に接続された第１コンデンサと、
前記第２端子間で直列に接続された第２コンデンサと、
前記コンデンサに並列または直列に接続され、不整合のドライバおよび等しくない電気経路長などの、信号スキューおよび非対称デューティサイクルへの寄与を補償するための受動回路と、
論理１のデータ要素に対しては電流を前記ドライバ第１端子に方向づけ、論理０データ要素に対しては電流を前記ドライバ第２端子に方向づけることによって、前記ドライバから伝送されるデータストリームを操作し、それによって前記第１および第２のドライバ端子上に発生する信号で、前の信号によって前記コンデンサに与えられた電荷を打ち消す能動回路と、
を備えるインクショート保護システム。
【請求項２】
前記受動回路は、前記第１コンデンサの両端に並列に接続された第１ブリーダ抵抗器と、
前記第２コンデンサの両端に並列に接続された第２ブリーダ抵抗器と、を有する請求項１に記載のインクショート保護システム。
【請求項３】
前記受動回路は、前記第１レシーバ端子から正電圧に接続された第１ブリーダ抵抗器と、
前記第２レシーバ端子からローカル接地に接続された第２ブリーダ抵抗器と、を有する請求項１に記載のインクショート保護システム。
【請求項４】
前記受動回路は、前記第１レシーバ端子に接続され、ＤＣプルアップ電圧を受けるように構成された第１プルアップ抵抗器と、前記第２レシーバ端子に接続され、前記ＤＣプルアップ電圧を受けるように構成された第２のプルアップ抵抗器とを含む請求項１に記載のインクショート保護システム。
【請求項５】
前記第１レシーバ端子と前記第２レシーバ端子との間に接続された第１成端抵抗器と、
前記第１レシーバ端子と前記第２レシーバ端子との間で前記第１成端抵抗器に直列に接続されている第２成端抵抗器と、
前記第１成端抵抗器および第２成端抵抗器との間に一端を接続し、他端をＤＣ電源に接続されたセンタータッププルアップ抵抗器と、
をさらに有し、センタータッププルアップ抵抗器のインピーダンスは、前記第１成端抵抗器および第２成端抵抗器の合成インピーダンスよりも高く設定された請求項１に記載のインクショート保護システム。
【請求項６】
前記差動信号伝送ドライバは、低電圧差動信号伝送ドライバをさらに有し、
前記差動信号伝送レシーバは、低電圧差動信号伝送レシーバをさらに有する請求項１に記載のインクショート保護システム。
【請求項７】
インクジェットプリントヘッドに信号を伝送するためのインクショート保護システムであって、
第１端子および第２端子を有する差動信号伝送ドライバと、
第１端子および第２端子を有する差動信号伝送レシーバと、
前記第１端子の間で直列に接続されている第１のコンデンサと、
前記第２端子の間で直列に接続されている第２のコンデンサと、
論理１のデータ要素に対しては電流を前記ドライバ第１端子に方向づけ、論理０データ要素に対しては電流を前記ドライバ第２端子に方向づけることによって、前記差動信号伝送ドライバから前記差動信号伝送レシーバにデータを伝送するデータ伝送手段と、
前記第１および第２のコンデンサ上の電荷蓄積を低減するための手段と、
を有するインクショート保護システム。
【請求項８】
インクジェットプリントヘッドに差動信号を伝送するためのインクショート保護の方法であって、
差動信号伝送ドライバの第１端子と、差動信号伝送レシーバの第１端子との間の第１ＤＣ電流を阻止するＤＣ電流阻止コンデンサを差動信号伝送ドライバの第１端子と、差動信号伝送レシーバの第１端子との間に接続し、
前記差動信号伝送ドライバの第２端子と、前記差動信号伝送レシーバの第２端子との間の第２ＤＣ電流を阻止するＤＣ電流阻止コンデンサを差動信号伝送ドライバの第２端子と、差動信号伝送レシーバの第２端子との間に接続し、
論理１のデータ要素に対しては電流を前記ドライバの第１端子に方向づけ、論理０データ要素に対しては電流を前記ドライバの第２端子に方向づけることによって、前記差動信号伝送ドライバから前記差動信号伝送レシーバに伝送されるデータストリームを操作し、それによって前記差動信号伝送ドライバの前記第１および第２端子上に発生する信号は、前の信号によって前記コンデンサに与えられる電荷を打ち消すインクショート保護方法。
【請求項９】
印刷機構において、
インクを選択的に噴射するインクジェットプリントヘッドと、
前記インクジェットプリントヘッドに信号を伝送するためのインクショート保護システムであって、
第１端子および第２端子を有する差動信号伝送ドライバ、
第１端子および第２端子を有する差動信号伝送レシーバ、
前記第１端子間で直列に接続された第１コンデンサ、
前記第２端子間で直列に接続された第２コンデンサ、
前記第１および第２コンデンサに並列または直列に接続され、不整合のドライバおよび等しくない電気経路長などの、信号スキューおよび非対称デューティサイクルへの寄与を補償するための受動回路、
を有するインクショート保護システムと、
論理１のデータ要素については、電流を前記差動信号伝送ドライバ第１端子に方向づけ、論理０のデータ要素については、電流を前記差動信号伝送ドライバ第２端子に方向づけることによって、前記差動信号伝送ドライバから伝送されるデータストリームを操作し、それによって、前記第１および第２差動信号伝送ドライバ端子上に発生する信号で、前の信号によって前記第１および第２コンデンサに与えられる前記電荷を打ち消す能動回路と、
を有する印刷機構。
【発明の詳細な説明】
【０００１】
【発明の属する技術分野】
本発明は、一般に、インクジェットプリンタまたはインクジェットプロッタなどの印刷機構に関する。印刷機構は、大抵の場合、多数の様々なタイプの媒体に画像を形成することが可能なインクジェットプリントヘッドを有する。インクジェットプリントヘッドは、所定の媒体が印刷ゾーンを前進している間に、その媒体上に複数のオリフィスを通して着色インクの液滴を噴射する。印刷ゾーンは、プリントヘッドのオリフィス、および媒体の動きに対して左右に直交し得るプリントヘッドの走査または往復移動によって形成される面で規定される。プリントヘッドのオリフィス（即ち、ノズル）からインクを噴射する方法としては、当業者に周知の圧電技術および熱技術が挙げられる。たとえば、２つの先行のサーマルインク噴射機構は、本願の譲受人であるヒューレット・パッカード・カンパニーに譲渡されている米国特許第５，２７８，５８４号および第４，６８３，４８１号に示されている。
【０００２】
【従来の技術】
サーマルインクジェットシステムでは、インクチャネルおよび気化チャンバを含むバリア層が、ノズルオリフィスプレートと基板層との間に配置されている。この基板層は、通常、抵抗器などのヒータ素子の柱状アレイを含む。ヒータ素子は、個々にアドレス指定可能であり、気化チャンバ内のインクを加熱するように電圧が印加される。加熱時には、インク液滴は、電圧を印加された抵抗器に関連するノズルから噴射される。インクジェットプリントヘッドのノズルは、通常、媒体が印刷ゾーンを移動する間に、印刷媒体の動きと実質的に平行な１つ、またはそれ以上の柱状アレイに配列される。
【０００３】
通常、印刷媒体は、プリントヘッドが媒体の幅方向に沿って通過する間に、インクジェットプリントヘッド下で前進し、固定され、コントローラによって決定されるように、ノズルからインクを噴射し、個々のスウォース（帯状の跡、swath）またはヘッドのパスに所望の画像を形成する。印刷媒体は、通常、往復するインクジェットプリントヘッドのパス間で前進し、噴射されたインクの液滴の配置が正確になるようになっている。
【０００４】
印刷機構は、１つ、またはそれ以上のカラー（即ち、当該技術分野で言及されている「プロセスカラー」）に対応する１つまたはそれ以上のインクジェットプリントヘッドを有し得る。たとえば、典型的なインクジェット印刷システムは、ブラックインクのみを有する単一のプリントヘッド、それぞれが黒、シアン、マゼンタおよびイエローインクである４つのプリントヘッド、またはそれぞれがシアン、マゼンタおよびイエローインクである３つのプリントヘッドを有し得る。言うまでもなく、７個および８個のインク／プリントヘッドシステムを含む、さらに多くの組み合わせ、および量のプリントヘッドがインクジェット印刷システムにおいて可能である。
【０００５】
最新のプリントヘッドの設計では、単一のプリントヘッド上にさらに多くのノズルを実装することが可能である。したがって、単一の往復プリントヘッド、複数の往復プリントヘッド、またはページ幅のプリントヘッドアレイのいずれが所定の印刷機構に存在しているかに関係なく、１秒当たりに噴射され得るインク液滴の数は増加する。この噴射レートおよび密度の増加によって、印刷速度または処理量は増加するものの、印刷機構コントローラから１つまたは複数のプリントヘッドに伝達され得る噴射データの量もそれに応じて多くなる。導通または放射電磁干渉（ＥＭＩ）を低減させるとともに、より迅速なデータレートに対応するために、低電圧差動信号伝送方式（ＬＶＤＳ）などの定電流差動信号伝送技術が実装され、印刷機構においてデータをコントローラからプリントヘッドに転送させている。このようなＬＶＤＳシステムの例は、共同で所有されている同時係属中米国出願第０９／７７９，２８１号に開示されている。
【０００６】
印刷機構は、コントローラから噴射信号を受け、噴射信号を処理して対応するＬＶＤＳ信号の組にするＬＶＤＳドライバを有し得る。ＬＶＤＳドライバは、定電流源を含む。この定電流源は、出力電流を約３ミリアンペアに制限し、一方、スイッチは、抵抗器によって成端される２つの伝送線の間で電流を方向づける。この差動ドライバは、同じ電流と逆の電流とが伝送線内を流れる奇数モード伝送を生成する。ＬＶＤＳドライバは、スパイク電流を生成せず、１秒当たり１．５ギガビットほどのデータレートが可能である。さらに、定電流ＬＶＤＳドライバは、熱問題を引き起こさずに伝送線が共にショートしたり、接地されることに耐えることができる。これは有利である。なぜなら、非常に導電性の高いインク残留物およびエアゾールからのインクショートは、インクジェット印刷機構における関心事だからである。インク残留物は、プリントヘッドノズル表面に蓄積して通常のプリンタ動作または除去およびプリントヘッド自体の取り付け中に、プリントヘッドコネクタパッドに移動し得る。同様に、空中エアゾールは、プリントヘッドの接触部に堆積し、ＬＶＤＳ伝送線に対して深刻なショート状態を形成し得る。
【０００７】
【発明が解決しようとする課題】
残念なことに、伝送線が互いにショートすることに対するＬＶＤＳドライバの耐性にもかかわらず、ＬＶＤＳドライバおよび関連のコントローラ電子部品、ならびに交換可能なプリントヘッドは、ＤＣパワーラインへのインクショートによって容易に損傷され得る。比較的高いＤＣ電圧は、プリントヘッドに印加され、プリントヘッドの気化チャンバ内の抵抗器を加熱し、それによって、インクをプリントヘッドノズルから噴射させる。ＬＶＤＳ伝送線を共にショートさせることが可能なインク残留物およびエアゾールは、また、ＬＶＤＳ伝送線をＤＣ電圧にショートさせることも可能であり、それによって、印刷機構の構成要素の致命的な故障が引き起こされる。
【０００８】
従来の印刷機構は、ダイオードを用いて、インクショートが発生した場合に、伝送線が最大電圧を超えないようにしていた。しかし、この解決法は、高速信号伝送に対してはもはや実用的ではない。なぜなら、微弱で駆動されるＬＶＤＳ信号に対して電力ダイオードが提示する容量が過剰なためである。
したがって、シャントおよびツェナーダイオードは、ＬＶＤＳシステムに対してショート保護として用いるのには望ましくない。
それ故、インクショートの際に、ＬＶＤＳドライバなどの定電流差動信号伝送プリンタドライバおよびプリンタ電子部品を電源電流の壊滅させる作用から保護するための強固かつ安価なシステムを提供することが望まれる。
本発明は、上記課題を解決し、インクショートの際に、ＬＶＤＳドライバなどの定電流差動信号伝送プリンタドライバおよびプリンタ電子部品を電源電流の壊滅させる作用から保護するための強固かつ安価なインクショート保護システムおよびその保護方法ならびにインクプリントヘッドを提供する。
【０００９】
【課題を解決するための手段】
本発明は、上記課題を解決するため、インクジェットプリントヘッドに信号を伝送するためのインクショート保護システムであって、
第１端子および第２端子を有する差動信号伝送ドライバと、
第１端子および第２端子を有する差動信号伝送レシーバと、
前記第１端子間で直列に接続された第１コンデンサと、
前記第２端子間で直列に接続された第２コンデンサと、
前記コンデンサ上に蓄積された電荷を逃がすための受動回路と、
論理１のデータ要素に対しては電流を前記ドライバ第１端子に方向づけ、論理０データ要素に対しては電流を前記ドライバ第２端子に方向づけることによって、前記ドライバから伝送されるデータストリームを操作し、それによって前記第１および第２のドライバ端子上に存在する信号は、前の信号によって前記コンデンサに与えられた電荷を打ち消すのに役立つ能動回路と、を備えることにある。
また、本発明は、前記コンデンサ上に蓄積された電荷を逃がすための前記受動回路は、前記第１コンデンサの両端に並列に接続された第１ブリーダ抵抗器と、
前記第２コンデンサの両端に並列に接続された第２ブリーダ抵抗器と、を有することにある。
さらに、本発明は、前記コンデンサ上に蓄積された電荷を逃がすための前記受動回路は、前記第１レシーバ端子から正電圧に接続された第１ブリーダ抵抗器と、
前記第２レシーバ端子からローカル接地に接続された第２ブリーダ抵抗器と、を有することにある。
またさらに、前記コンデンサ上に蓄積された電荷を逃がすための前記受動回路は、前記第１レシーバ端子に接続され、ＤＣプルアップ電圧を受けるように構成された第１プルアップ抵抗器と、前記第２レシーバ端子に接続され、前記ＤＣプルアップ電圧を受けるように構成された第２のプルアップ抵抗器とを含むことにある。
また、本発明は、第１成端抵抗器と、
前記第１レシーバ端子と前記第２レシーバ端子との間で前記第１成端抵抗器に直列に接続されている第２成端抵抗器とをさらに有することにある。
さらに本発明は、前記差動信号伝送ドライバは、低電圧差動信号伝送ドライバをさらに有し、
前記差動信号伝送レシーバは、低電圧差動信号伝送レシーバをさらに有することにある。
またさらに、本発明は、インクジェットプリントヘッドに信号を伝送するためのインクショート保護システムであって、
第１端子および第２端子を有する差動信号伝送ドライバと、
第１端子および第２端子を有する差動信号レシーバと、
前記第１端子の間で直列に接続されている第１のコンデンサと、
前記第２端子の間で直列に接続されている第２のコンデンサと、
前記第１および第２のコンデンサ上の電荷蓄積を低減するための手段と、
を有することにある。
また、本発明は、インクジェットプリントヘッドに差動信号を伝送するためのインクショート保護の方法であって、
差動信号伝送ドライバの第１端子と、差動信号伝送レシーバの第１端子との間の第１ＤＣ電流を阻止すること、
前記差動信号伝送ドライバの第２端子と、前記差動信号伝送レシーバの第２端子との間の第２ＤＣ電流を阻止すること、
前記差動信号伝送ドライバから前記差動信号伝送レシーバに伝送されるデータストリームを操作し、それによって前記差動信号伝送ドライバの前記第１および第２端子上に存在する信号は、前記第１および第２ＤＣ電流を阻止するとともに、蓄積された電荷をキャンセルする傾向があること、を含むことにある。
さらに、本発明は、印刷機構において、
インクを選択的に噴射するインクジェットプリントヘッドと、
前記インクジェットプリントヘッドに信号を伝送するためのインクショート保護システムであって、
第１端子および第２端子を有する差動信号伝送ドライバ、
第１端子および第２端子を有する差動信号伝送レシーバ、
前記第１端子間で直列に接続された第１コンデンサ、
前記第２端子間で直列に接続された第２コンデンサ、
前記第１および第２コンデンサ上で蓄積された電荷を逃がすための受動回路、
を有するインクショート保護システムと、
論理１のデータ要素については、電流を前記差動信号伝送ドライバ第１端子に方向づけ、論理０のデータ要素については、電流を前記差動信号伝送ドライバ第２端子に方向づけることによって、前記差動信号伝送ドライバから伝送されるデータストリームを操作し、それによって、前記第１および第２差動信号伝送ドライバ端子上に存在する信号は、前の信号によって前記第１および第２コンデンサに与えられる前記電荷を打ち消すのに役立つ能動回路と、
を有することにある。
またさらに、本発明は、インクプリントヘッドにおいて、
複数のインク滴生成器と、
差動信号レシーバと、
前記差動信号レシーバによって受信される２進パケットを解釈するための構成を有する回路とを有し、
前記２進パケットは、反転ビットおよびデータビットを有し、
前記回路は、前記データビットを用いてインク滴生成器を作動する前に、各２進パケットから前記反転ビットを読み出し、前記反転ビットによって示されるとき、前記データビットを反転させることを含むことにある。
【００１０】
【発明の実施の形態】
図１は、本発明を実施するように構築され得る印刷機構（ここでは、インクジェットプリンタ２０として図示される）の実施形態を例示する。インクジェットプリンタ２０は、工業、オフィス、家庭またはその他の環境内で用いられる紙、スライド、コート媒体、カード用紙、写真質紙、および封筒などの様々な媒体に印刷するために用いられ得る。様々なインクジェット印刷機構が市販されている。たとえば、本明細書で記載されている概念を具現化し得る印刷機構をいくつか挙げると、デスクトッププリンタ、携帯用印刷ユニット、ワイドフォーマットプリンタ、ハイブリッド電子写真インクジェットプリンタ、コピー機、カメラ、ビデオプリンタ、およびファクシミリ装置があるが、これらはほんの一例である。便宜上、本明細書に導入されている概念は、インクジェットプリンタ２０の環境内で記載されている。
【００１１】
プリンタ構成要素は、モデルによって異なり得ることは明らかであるが、典型的なインクジェットプリンタ２０は、通常プラスチック材料でできたフレームまたはケーシング密閉容器２４によって取り囲まれたシャシ２２を含む。プリンタ２０はまた、マイクロプロセッサ２６として概略的に例示されるプリンタコントローラも有する。マイクロプロセッサ２６は、コンピュータまたは個人情報端末（ＰＤＡ）（図示せず）などのホストデバイスから命令を受ける。ホストデバイスに接続されたスクリーンは、プリンタの状態またはホストデバイス上で実行されている特定のプログラムなどの視覚的情報をオペレータに表示するためにも用いられ得る。コンピュータおよびＰＤＡなどのプリンタホストデバイス、キーボード、マウスデバイス、スタイラスデバイスなどの入力デバイス、および液晶ディスプレイスクリーンおよびモニタなどの出力デバイスはすべて、当業者に既知である。
【００１２】
印刷媒体取扱いシステム（図示せず）は、印刷媒体（図示せず）のシートを媒体入力トレイ２８から印刷ゾーン３０を通して出力トレイ３１まで前進させるために用いられ得る。キャリッジガイドロッド３２は、シャーシ２２に設けられ、走査軸３４を規定し、ガイドロッド３２は、インクジェットキャリッジ３６を摺動可能に支持し、印刷ゾーン３０を横断して左右、往復移動させる。キャリッジ駆動モータ（図示せず）は、コントローラ２６から受信した制御信号に応答して、キャリッジ３６を進ませるために用いられ得る。キャリッジ３６位置フィードバック情報をコントローラ２６に提供するために、符号化器ストリップ（図示せず）は、印刷ゾーン３０の長さに沿って、サービス領域３８を超えて延長し得る。光学符号化器リーダは、たとえば、本願の譲受人であるヒューレット・パッカード・カンパニーに譲渡された米国特許第５，２７６，９７０号に記載されているように、プリントヘッドキャリッジ３６の裏面に設けられ、符号化器ストリップによって提供される位置情報を読み出す。符号化器ストリップリーダを介して位置フィードバック情報を提供する方法も、また、当業者に既知の様々な様式で成し遂げられ得る。
【００１３】
印刷ゾーン３０では、媒体シートは、ブラックインクカートリッジ４０およびカラーインクジェットカートリッジ４２などのインクジェットカートリッジからインクを受ける。カートリッジ４０および４２は、大抵の場合、当業者によって「ペン」と呼ばれる。ブラックインクペン４０は、本明細書では、顔料をベースにしたインクを含むものとして例示されている。例示を目的として、カラーペン４２は、カラーのシアン、マゼンタおよびイエローである３つの別個の染料をベースにしたインクを含むものとして記載されている。但し、カラーペン４２は、実施によっては、顔料をベースにしたインクも含み得ることは明らかである。パラフィンをベースにしたインク、染料と顔料の特徴とを共に有するハイブリッドインクまたは複合インクなどの他のタイプのインクもペン４０および４２において用いられ得ることも明らかである。例示のプリンタ２０は、交換可能なプリントヘッドカートリッジを用いる。このプリントヘッドカートリッジでは、各ペンは、プリントヘッドが印刷ゾーン３０を超えて往復移動する際に、インクの供給量全体を搬送するリザーバを有する。本明細書で用いられる用語「ペン」または「カートリッジ」は、インク供給領域に配置された各インク（システム内のインクの数に応じたブラック、シアン、マゼンタ、イエロー、または他のカラー）用の主要な固定リザーバ（図示せず）を有する「オフ軸」インク送達システムも言及し得る。オフ軸システムでは、ペンは、プリントヘッドの移動経路から「オフ軸」に配置された固定の主要リザーバから可撓性チューブシステムを通して搬送されるインクによって補給され得る。このため、わずかなインク供給だけが、印刷ゾーン３０を横断してキャリッジ３６によって進められる。永久または半永久プリントヘッドを有する印刷カートリッジに取り付けられる交換可能なインク供給カートリッジなどの他のインク送達または流体送達システムも、また、本明細書に記載のインクショート保護システムを用い得る。
【００１４】
例示のブラックペン４０は、プリントヘッド４４を有し、カラーペン４２は、シアン、マゼンタ、およびイエローインクを噴射する３色カラープリントヘッド４６を有する。プリントヘッド４４、４６は、印刷ゾーン３０にあるとき、選択的にインクを噴射し、媒体のシート上に画像を形成する。プリントヘッド４４、４６はそれぞれ、当業者に周知の様式でそこに形成される複数のインク滴生成器を有する。各プリントヘッド４４、４６のインク滴生成器は、通常、オリフィスプレートに沿って少なくとも１つ（通常は、複数）の柱状のアレイに形成される。本明細書で用いる用語「柱状の」は、たとえば、ジグザグすなわち千鳥状の配置で、互いにわずかにオフセットしたノズル配置を含み得る。各柱状のアレイは、通常、走査軸３４に垂直な長手方向に配列されており、各アレイの長さは、プリントヘッドの１回のパスに対する最大画像スウォースを決定する。インク滴生成器は、コントローラ２６から可撓性プリントヘッドケーブル４８を介してプリントヘッドカートリッジ３６に送達される噴射コマンド制御信号に応答して選択的に電圧を印加される。
【００１５】
図２のブロック図は、低電圧差動信号伝送（ＬＶＤＳ）を用いてデータをプリントヘッド４４、４６に伝達するプリンタ２０の１つの実施形態を例示する。コントローラ２６は、コントローラＬＶＤＳドライバ５２に渡される噴射命令５０を生成または受信する。コントローラＬＶＤＳドライバ５２は、ケーブル４８を横切ってプリントヘッドキャリッジ３６、次いでプリントヘッド４４、４６に搭載のプリントヘッドＬＶＤＳレシーバ５６に転送される出力ＬＶＤＳ信号５４を生成する。ＤＣ電力源５８は、ＤＣ電圧６０をＬＶＤＳドライバ５２およびコントローラ２６だけでなく、プリントヘッド４４、４６に提供し、プリントヘッドＬＶＤＳレシーバ５６、プリントヘッドロジック６２、およびプリントヘッドインク滴生成器６４に電力を与える。プリントヘッド４４、４６の各構成要素に対して異なる電圧レベルが用いられ得る。たとえば、プリントヘッドＬＶＤＳレシーバ５６は、３．３ボルトＤＣを必要とし、プリントヘッド６２は、５．０ボルトＤＣを必要とし、インク滴生成器６４は、３０ボルトＤＣを必要とし得る。これらのＤＣ電圧６０はすべて、通常、出力ＬＶＤＳ信号５４に沿って可撓性ケーブル４８を通ってプリントヘッド４４、４６に渡される。例示を目的として、インク滴生成器６４は、サーマルインクジェット技術を用いるものとして図２に示される。但し、圧電インクジェットなどの他のタイプのインク滴生成技術を用いてもよい。インク滴生成器は、噴射抵抗器６１、インクチャンバ６３、およびノズル６５を有する。選択された抵抗器６１に電圧を印加すると、関連するインクチャンバ６３内にガスの泡が形成され、形成されたガスは、ノズル６５下に印刷ゾーン３０があるとき、インクの液滴を関連するノズル６５から印刷媒体に噴射する。
【００１６】
図３のブロック図は、低電圧差動信号伝送（ＬＶＤＳ）を用いて、プリントヘッド４４、４６とコントローラ２６との間でデータを行き来して伝達するプリンタ２０の１つの実施形態を例示する。図２の実施形態に示されるデータの流れは、プリントヘッドに対して一方向であるが、図３に示される実施形態は、プリントヘッドＬＶＤＳドライバ６６およびコントローラＬＶＤＳレシーバ６８のために二方向である。プリントヘッドＬＶＤＳドライバ６６は、フィードバックＬＶＤＳ信号７０をＬＶＤＳレシーバ６８を介してコントローラ２６に伝送する。これらのフィードバック信号７０は、ペン識別または噴射温度などの情報を含み得る。
【００１７】
図２の一方向の実施形態または図３の二方向の実施形態では、ＤＣ電圧６０が出力ＬＶＤＳ信号５４またはフィードバックＬＶＤＳ信号７０のいずれかにショートされるときの致命的なプリンタの故障を防止することが望まれる。出力ＬＶＤＳ信号５４のそれぞれおよびフィードバックＬＶＤＳ信号７０のそれぞれについては、一対の伝送線７２が設けられている。図４は、一対のＬＶＤＳ伝送線７２に適用されるインクショート保護システムの実施形態を例示する。ＬＶＤＳドライバ７４は、伝送線対７２の一方側にあり、ＬＶＤＳレシーバ７６は他方側にある。簡単のため、１つの伝送線対７２しか例示されていないが、言うまでもなく、本明細書で開示されているインクショート保護のための例示的な任意の実施形態が任意の数のＬＶＤＳ伝送線対７２に適用され得る。
【００１８】
ＬＶＤＳドライバ７４は、非反転端子７８および反転端子８０を有する。ＬＶＤＳレシーバ７６は、非反転端子８２および反転端子８４を有する。ＤＣ阻止コンデンサ８６は、非反転ドライバ端子７８と非反転レシーバ端子８２との間で直列に接続されている。第２のＤＣ阻止コンデンサ８８は、反転ドライバ端子８０と反転レシーバ端子８４との間で直列に接続されている。ＤＣ阻止コンデンサ８６、８８は、たとえば、ケーブル４８のコントローラ２６側に配置され、プリントヘッド４４、４６付近で発生するインクショートがプリンタコントローラ２６を破壊しないようにする。このようなショートのために、プリントヘッド４４、４６は、故障し得るが、これらは、プリンタコントローラ２６に対して通常は安価であり、より簡単に交換可能であり得る。他の応用では、プリントヘッド４４、４６を保護するために、プリントヘッド４４、４６にもっと近接して阻止コンデンサ８６、８８を配置することが望まれ得る。
【００１９】
ＬＶＤＳレシーバ７６上の非反転端子８２および反転端子８４によって形成されるＬＶＤＳ差動対は、通常、伝送対７２のＬＶＤＳレシーバ７６端で、非反転レシーバ端子８２と反転レシーバ端子８４との間で並列に接続されている成端抵抗器９０で終端している。成端抵抗器９０は、非反転信号線８９および反転信号線９１への反射を防止するのに役立つ。成端抵抗器９０は、また、ＬＶＤＳドライバ７４からの電流をＬＶＤＳレシーバ７６の電圧に変換する。
【００２０】
ＬＶＤＳドライバ７４は、出力電流を約３ミリアンペアに制限する定電流源（図示せず）を含み、一方、スイッチ（図示せず）は、抵抗器９０によって終端されている伝送対７２の間で電流を方向づける。したがって、阻止コンデンサ８６、８８が存在しない場合には、ＬＶＤＳドライバ７４は、同じ電流と逆の電流とが伝送対７２内を流れる奇数モード伝送を生成する。ＤＣ阻止コンデンサ８６、８８を直列に配置することによって、ＬＶＤＳ電流が非反転線８９と反転線９１との間で行き来するように方向づけられる際、コンデンサ８６、８８のそれぞれに電荷が蓄積され得る。しかし、ＤＣ阻止コンデンサ８６、８８が存在すると、コンデンサは、等しい数の論理０および論理１をもたない信号を通過させることができないため、これを補償する必要がある。
【００２１】
たとえば、ＬＶＤＳドライバ７４は、論理１を伝送する場合、通常、非反転ドライバ端子７８に電流を方向づけ、次に、論理０を伝送する場合、電流を反転ドライバ端子８０に方向づけるように設定され得る。１の総数が０の総数を上回ると、電荷は、ＤＣ阻止コンデンサ８６、８８上に蓄積し得る。同様に、０の総数が１の総数よりも大きい場合、電荷は、ＤＣ阻止コンデンサ８６、８８上に蓄積し得るが、反対の極性である。電荷がコンデンサ８６、８８上に蓄積し続けると、ＬＶＤＳドライバ７４が定電流を送り出す能力が犠牲にされ、ＬＶＤＳレシーバ７６の成端抵抗器９０に信号が生成するのが妨げられる。
【００２２】
したがって、図４の実施形態で実施されている解決法は、阻止コンデンサ８６、８８が等しい数の論理０および論理１をもたない信号を通過させることができないことを補償することである。まず第１に、図５に例示されるプロトコルが定義される。このプロトコルは、パケットヘッダ９４およびパケットデータ９６を含むパケット９２を定義する。パケットデータ９６内のビット数ｎは、プリントヘッドの設計によって変化し得る。パケットヘッダ９４は、好ましくは、反転データビット９８と呼ばれるビットを有する。パケットヘッダ９４は、また、たとえば、符号化パラメータなどの他の情報を選択的に含み得る。阻止コンデンサ８６、８８上に電荷が過剰に蓄積されるのを防止するため、パケットデータ９６は、データストリーム内の０および１の前回の合計に基づいて、反転状態または非反転状態で伝送される。１がより多く伝送されていた場合には、次のパケットは、好ましくは、１の合計が０の合計に近くなるように伝送される。ＬＶＤＳレシーバ７６は、反転データビット９８を読み出し、パケットデータ９６を適切に解釈する。プロトコルは、アプリケーション特定集積回路（ＡＳＩＣ）、マイクロプロセッサ、ディスクリートデジタル論理構成要素、またはそれらの任意の組み合わせによって実行され得る。ＡＳＩＣまたはマイクロプロセッサの機能を含む他の構成要素も、また、プロトコルを実行するために当業者によって用いられ得る。
【００２３】
伝送された１の合計を伝送された０の合計と等しくなるように効果的に保つための別のプロトコルが、反転データビット９８を用いるプロトコルの代わりに用いられ得ることは、当業者には容易に明白である。たとえば、伝送された０または伝送された１の総数を追跡しないが、まず所定のデータパケットを操作なしで伝送し、次いで、データパケットの結果として蓄積されていたであろう電荷を打ち消すように反転されたパケット全体を再伝送するプロトコルが定義され得る。この他のプロトコロルの例では、プリントヘッド４４、４６は、データパケットに応答してインク滴生成器６４を起動し、反転パケットを無視する。他の例では、まず、データパケット内の０および１の数を数えながら、所定のデータパケットを操作なしで伝送するプロトコルが定義され得る。データパケット内の１の数が０の数よりも大きい場合、０のオフセット数は、データパケットに加えられて伝送される。データパケット内の０の数が１の数よりも大きい場合には、１のオフセット数は、データパケットに加えられて伝送される。この他のプロトコルの例では、プリントヘッド４４、４６は、データパケットに応答してインク滴生成器６４を起動し、１または０をキャンセルするさらなる電荷を無視する。他のプロトコルのその他の例は、当業者に明白である。
【００２４】
阻止コンデンサ８６、８８が等しい数の論理０および論理１をもたない信号を通過させることができないことを補償するための図４に例示される実施形態の第２の部分は、低周波数がパケット９２の長さによって定義される比較的低い周波数のＡＣ信号を通過させる容量値を選択することである。適切な容量値は、以下の式で選択され得る。
【００２５】
【数１】
0003810712.tif 000002
【００２６】
ＬＶＤＳドライバ７４およびレシーバ７６の動作範囲に基づいて、平均ＤＣ設定点を上回るまたは下回る最大１ボルトの振幅（ｄＶ）が通常望ましい。ＬＶＤＳドライバ７４は、公称、３ミリアンペア（Ｉ）の定電流を生成する。パケット９２の長さは、当該のプリントヘッド４４、４６およびプリンタ２０の設計によって異なり得るが、１つのパケット長さを伝送するのに必要な時間によって、ｄｔ値が決定されるのが好ましい。たとえば、１秒当たり６０メガビットの（Ｍｂｉｔｓ／ｓｅｃ）レートで伝送される１０００ビットのパケットサイズは、約１６．７マイクロ秒の時間間隔（ｄｔ）となる。
【００２７】
【数２】
0003810712.tif 000003
【００２８】
この例において、３ミリアンペアの電流（Ｉ）および最大１ボルトの振幅（ｄＶ）を想定すると、所望の全容量は、約５０ナノファラッドと計算される。
【００２９】
【数３】
0003810712.tif 000004
【００３０】
ドライバ７４からの電流は、コンデンサ８６、８８を直列に通過するため、この例では、所望の全容量は、以下の式で表される。
【００３１】
【数４】
0003810712.tif 000005
【００３２】
ここで、Ｃ86およびＣ88は、コンデンサ８６および８８の容量をそれぞれ示す。この実施例では、差動システムであるため、Ｃ86をＣ88と等しくすることが望まれる。したがって、所望の全容量の式は、以下のようになり、この例では、約０．１マイクロファラッドの個別の容量が、コンデンサ８６および８８のそれぞれに対して計算される。
【００３３】
【数５】
0003810712.tif 000006
【００３４】
所定のＬＶＤＳシステムの様々なパラメータに基づいて、他の容量値を当業者によって適切に選択してもよい。
【００３５】
したがって、すべての１またはすべての０をコントローラ２６からプリントヘッド４４、４６に伝達する必要がある最悪の状態でも、プロトコルは、０および１の交互のパケットをＬＶＤＳドライバ７４からＬＶＤＳレシーバ７６に強制的に伝送する。その後、交互のパケットは、パケット９２の各データビットと反転データビット９８とを比較することによって復元される。阻止コンデンサ８６、８８の容量値は、パケット９２の長さに基づいた時定数を有するように選択されるため、ＬＶＤＳドライバ７４およびＬＶＤＳレシーバ７６の好ましい動作範囲外に伝送電圧を移行させ得る、すべて０またはすべて１のいっそう悪い場合の伝送時に、コンデンサ８６、８８は電荷を蓄積しない。
【００３６】
図４に例示される実施形態の他の態様は、非反転ブリーダ抵抗器１００および反転ブリーダ抵抗器１０２である。非反転「ブリーダ」抵抗器１００は、非反転ＤＣ阻止コンデンサ８６の両端に並列に接続され、反転ブリーダ抵抗器１０２は、反転ＤＣ阻止コンデンサ８８の両端に並列に接続される。ブリーダ抵抗器１００、１０２は、不整合のドライバおよび等しくない電気経路長などの、信号スキューおよび非対称デューティサイクルへの寄与を補償することを意図している。ブリーダ抵抗器１００、１０２のインピーダンスは、差動信号が乱されず、ＤＣ電圧に対するインクショートがＬＶＤＳドライバ７４に害を与え得る電流を生成しないように、成端抵抗器９０のインピーダンスに対して高くなるように選択される。たとえば、一例として、３０ボルトのＤＣ噴射電圧がプリントヘッド４４，４６に供給されていると想定する。また、ＬＶＤＳドライバ７４への電流が３ミリアンペアよりも大きくならないようにすることが望まれると想定する。この例では、ブリーダ抵抗器１００、１０２は、非反転信号線８９または反転信号線９１のいずれかに対して３０ボルトのショートが生じた場合、ＬＶＤＳドライバ７４への最大電流を３ミリアンペアに維持するために、それぞれ１０キロオームの抵抗値を有さなければならない。この例では、１０キロオームの抵抗器が、３０ボルトのショート中に０．０９ワットを消費し、これによって、ブリーダ抵抗器１００、１０２は比較的小さな電力抵抗器となる。さらに、この例において信号スキューを考慮に入れると、スキューが通常の動作中の１％である場合、ブリーダ抵抗器１００、１０２のいずれかを通る電流は、０．０３ミリアンペア（公称３ミリアンペアの動作電流の１％）となる。この例では、１０キロオームの抵抗器を通過した０．０３ミリアンペアの電流は、正常な動作中、各ブリーダ抵抗器の両端で０．３ボルトの電圧降下となり、信号スキューに対応する。他のブリーダ抵抗器１００、１０２の値は、所定のＬＶＤＳシステムの様々なパラメータに基づいて、当業者によって適切に選択され得る。ブリーダ抵抗器１００、１０２はまた、ＤＣ阻止コンデンサ８６、８８の両端に流れる電荷をキックスタータで始動するようにも機能する。
【００３７】
図６に示される他の実施形態では、非反転ブリーダ抵抗器１００は、非反転レシーバ端子８２からＤＣ電圧源１０３へ接続される。さらに、図６の実施形態では、反転ブリーダ抵抗器１０２は、反転レシーバ端子８４からローカル接地１０４に接続される。図６の実施形態におけるブリーダ抵抗器１００、１０２は、終端抵抗器９０のインピーダンスよりも高いインピーダンスを有するように選択されるのが好ましいが、ブリーダ抵抗器１００、１０２のインピーダンスは、また、多くのパケット９２の長さの時定数で、接地１０４に対してローパスフィルタとして作用するのに充分低いインピーダンスを有するべきである。
【００３８】
図７に示す他の実施形態では、ブリーダ抵抗器１００、１０２は除去され、その代わりにプルアップ抵抗器１０６および１０８が用いられる。プルアップ抵抗器１０６は、非反転ＬＶＤＳレシーバ端子８２からＤＣ電圧源１１０に接続されている。プルアップ抵抗器１０８は、反転ＬＶＤＳレシーバ端子８４からＤＣ電圧源１１０に接続されている。プルアップ抵抗器１０６、１０８のインピーダンスは、ＬＶＤＳ受信端子８２と８４との差動信号が乱されないように、成端抵抗器９０よりも高くなければならない。ブリーダ抵抗器１００、１０２用の抵抗値を選択するための上記と同じ指針が、プルアップ抵抗器１０６、１０８を選択するために用いられ得る。プルアップ抵抗器１０６、１０８は、信号スキューおよび非対称デューティサイクルを補償するのに役立つ。
【００３９】
図８に示す他の実施形態では、ブリーダ抵抗器１００、１０２もプルアップ抵抗器１０６、１０８も用いられていない。成端抵抗器９０は、２つの成端抵抗器１１２および１１４で置き換えられ、成端抵抗器１１２および１１４のそれぞれは、成端抵抗器９０の抵抗の半分の抵抗を有する。成端抵抗器１１２および１１４は、ＬＶＤＳレシーバ端子８２、８４の間の差動信号が、成端抵抗器９０が存在していたときと実質的に同じ抵抗によって終端されるように、非反転ＬＶＤＳレシーバ端子８２と反転ＬＶＤＳレシーバ端子８４との間で直列に接続されている。センタータッププルアップ抵抗器１１６は、成端抵抗器１１２と１１４との間からＤＣ電圧源１１０まで接続されている。センタータッププルアップ抵抗器１１６のインピーダンスは、成端抵抗器１１２および１１４の合成インピーダンスよりも高くなければならない。ブリーダ抵抗器１００、１０２の抵抗値を選択するために、上記と同じ指針を用いて、センタータッププルアップ抵抗器１１６を選択してもよい。センタータッププルアップ抵抗器１１６は、信号スキユーおよび非対称デューティ比を補償するのに役立つ。
【００４０】
図６から図８に例示される実施形態のそれぞれもまた、ＤＣ阻止コンデンサ８６，８８が等しい数の論理０および論理１をもたない信号を通過させることができないことを補償する必要がある。このため、図６から図８に例示する実施形態のそれぞれは、図４の実施形態の一部として前述したプロトコル、またはＬＶＤＳドライバ７４からＬＶＤＳレシーバ７６に伝送される１および０の合計をほぼ等しく保つ任意の他のプロトコルを用いてもよい。
【００４１】
システム上で伝送される０の数および１の数をほぼ同数に保つための論理プロトコルを有する、図４、図６、図７および図８に例示されるシステムのそれぞれのようなインクショート保護システムは、定電流差動信号伝送で経済的に可能な高い通信速度をプリンタが利用できるようにするとともに、プリンタ電子部品をＤＣ電源インクショートから保護する能力を提供する。インクショート保護システムの様々な構成要素および実施形態についての議論では、様々な利益に注目した。
【００４２】
様々な他の等価な改変および交換は、依然として以下の特許請求の範囲内にあるとともに、特定の実施に応じて、本明細書で網羅されている概念によるインクショート保護システム電子部品およびインクショート保護システムを構築するためのプロトコルに対して行われ得る。
【００４３】
以上本発明の各実施例について説明したが、実施例の理解を容易にするために、実施例ごとの要約を以下に列挙する。
[  １  ]   インクジェットプリントヘッド（４４、４６）に信号を伝送するためのインクショート保護システム（図４、図６、図７、図８）であって、
第１端子（７８）および第２端子（８０）を有する差動信号伝送ドライバ（７４）と、
第１端子（８２）および第２端子（８４）を有する差動信号伝送レシーバ（７６）と、
前記第１端子（７８、８２）間で直列に接続された第１コンデンサ（８６）と、
前記第２端子（８０、８４）間で直列に接続された第２コンデンサ（８８）と、
前記コンデンサ（８６、８８）上に蓄積された電荷を逃がすための受動回路（１００、１０２、９０、１０６、１０８、１１２、１１４、１１６）と、
論理１のデータ要素に対しては電流を前記ドライバ第１端子（７８）に方向づけ、論理０データ要素に対しては電流を前記ドライバ第２端子（８０）に方向づけることによって、前記ドライバ（７４）から伝送されるデータストリーム（図５）を操作し、それによって前記第１および第２のドライバ端子（７８、８０）上に存在する信号は、前の信号によって前記コンデンサ（８６、８８）に与えられた電荷を打ち消すのに役立つ能動回路（２６、６２）と、を備えるインクショート保護システム。
[  ２  ]    前記コンデンサ上に蓄積された電荷を逃がすための前記受動回路は、前記第１コンデンサ（８６）の両端に並列に接続された第１ブリーダ抵抗器（図４の１００）と、
前記第２コンデンサ（８８）の両端に並列に接続された第２ブリーダ抵抗器（図４の１０２）と、を有する[  １  ]に記載のインクショート保護システム。
[  ３  ]    前記コンデンサ上に蓄積された電荷を逃がすための前記受動回路は、前記第１レシーバ端子（８２）から正電圧（１０３）に接続された第１ブリーダ抵抗器（図６の１００）と、
前記第２レシーバ端子（８４）からローカル接地（１０４）に接続された第２ブリーダ抵抗器（図６の１０２）と、を有する[  １  ]に記載のインクショート保護システム。
[  ４  ]    前記コンデンサ上に蓄積された電荷を逃がすための前記受動回路は、前記第１レシーバ端子（８２）に接続され、ＤＣプルアップ電圧（１１０）を受けるように構成された第１プルアップ抵抗器（１０６）と、
前記第２レシーバ端子（８４）に接続され、前記ＤＣプルアップ電圧（１１０）を受けるように構成された第２のプルアップ抵抗器（１０８）とを含む[  １  ]に記載のインクショート保護システム。
[  ５  ]    第１成端抵抗器（１１２）と、
前記第１レシーバ端子（８２）と前記第２レシーバ端子（８４）との間で前記第１成端抵抗器（１１２）に直列に接続されている第２成端抵抗器（１１４）とをさらに有する[  １  ]に記載のインクショート保護システム。
[  ６  ]    前記差動信号伝送ドライバ（７４）は、低電圧差動信号伝送（ＬＶＤＳ）ドライバをさらに有し、
前記差動信号伝送レシーバ（７６）は、低電圧差動信号伝送（ＬＶＤＳ）レシーバをさらに有する[  １  ]に記載のインクショート保護システム。
[  ７  ]    インクジェットプリントヘッド（４４、４６）に信号を伝送するためのインクショート保護システム（図４、図６、図７、図８）であって、
第１端子（７８）および第２端子（８０）を有する差動信号伝送ドライバ（７４）と、
第１端子（８２）および第２端子（８４）を有する差動信号レシーバ（７６）と、
前記第１端子（７８、８２）の間で直列に接続されている第１コンデンサ（８６）と、
前記第２端子（８０、８４）の間で直列に接続されている第２のコンデンサ（８８）と、
前記コンデンサ（８６、８８）上の電荷蓄積を低減するための手段（１００、１０２、９０、１０６、１０８、１１２、１１４、１１６、２６、６２）とを有するインクショート保護システム。
[  ８  ]    インクジェットプリントヘッドに差動信号を伝送するためのインクショート保護の方法であって、
差動信号伝送ドライバ（７４）の第１端子（７８）と、差動信号伝送レシーバ（７６）の第１端子（８２）との間の第１ＤＣ電流（図４、図６、図７、図８）を阻止すること、
前記ドライバ（７４）の第２端子（８０）と、前記レシーバ（７６）の第２端子（８４）との間の第２ＤＣ電流（図４、図６、図７、図８）を阻止すること、
前記ドライバ（７４）から前記レシーバ（７６）に伝送されるデータストリーム（図５）を操作し、それによって前記ドライバ（７４）の前記第１および第２端子（７８、８０）上に存在する信号は、前記第１および第２ＤＣ電流を阻止するとともに、蓄積された電荷をキャンセルする傾向があること、を含む方法。
[  ９  ]    印刷機構（２０）において、インクを選択的に噴射するインクジェットプリントヘッド（４４、４６）と、
前記インクジェットプリントヘッド（４４、４６）に信号を伝送するためのインクショート保護システム（図４、図６、図７、図８）であって、
第１端子（７８）および第２端子（８０）を有する差動信号伝送ドライバ（７４）と、
第１端子（８２）および第２端子（８４）を有する差動信号伝送レシーバ（７６）と、
前記第１端子（７８、８２）間で直列に接続された第１コンデンサ（８６）と、
前記第２端子（８０、８４）間で直列に接続された第２コンデンサ（８８）と、
前記コンデンサ（８６、８８）上で蓄積された電荷を逃がすための受動回路（１００、１０２、９０、１０６、１０８、１１２、１１４、１１６）とを有するインクショート保護システムと、
論理１のデータ要素については、電流を前記ドライバ第１端子（７８）に方向づけ、論理０のデータ要素については、電流を前記ドライバ第２端子（８０）に方向づけることによって、前記ドライバ（７４）から伝送されるデータストリーム（図５）を操作し、それによって、前記第１および第２ドライバ端子（７８、８０）上に存在する信号は、前の信号によって前記コンデンサ（８６、８８）に与えられる前記電荷を打ち消すのに役立つ能動回路（２６、６２）とを有する印刷機構。
[  １０  ]    インクプリントヘッド（４４、４６）において、複数のインク滴生成器（６４）と、
差動信号レシーバ（５６）と、
前記差動信号レシーバ（５６）によって受信される二進パケット（９２）を解釈するための構成を有する回路（６２）とを有し、
前記二進パケット（９２）は、反転ビット（９８）およびデータビット（９６）を有し、
前記回路（６２）は、前記データビット（９６）を用いてインク滴生成器（６４）を作動する前に、各二進パケット（９２）から前記反転ビット（９８）を読み出し、前記反転ビット（９８）によって示されるとき、前記データビット（９６）を反転させるインクプリントヘッド（４４、４６）。
【００４４】
【発明の効果】
上記のように、本発明によると、インクショートの際に、ＬＶＤＳドライバなどの定電流差動信号伝送プリンタドライバおよびプリンタ電子部品を電源電流の壊滅させる作用から保護するための強固かつ安価なシステムが提供される。
【図面の簡単な説明】
【図１】低電圧差動信号伝送（ＶＬＤＳ）システムの一部として、可撓性ケーブルによってコントローラに接続された２つのプリントヘッドを有する、インクジェット印刷機構の１つの形態の断片斜視図である。
【図２】ＬＶＤＳを用いて電子コントローラからプリントヘッドにデータを伝達するインクジェット印刷システムの１つの実施形態を例示するブロック図である。
【図３】ＬＶＤＳを用いて電子コントローラとプリントヘッドとの間でデータを伝達するインクジェット印刷システムの１つの実施形態を例示するブロック図である。
【図４】インクショート保護システムの１つの実施例の一部である受動回路の１つの実施形態を例示する機能概略図である。
【図５】インクショート保護システムの一部であるプロトコルの実施形態を例示するブロック図である。
【図６】インクショート保護システムの１つの実施例の一部である受動回路の１つの実施形態を例示する機能概略図である。
【図７】インクショート保護システムの１つの実施例の一部である受動回路の１つの実施形態を例示する機能概略図である。
【図８】インクショート保護システムの１つの実施例の一部である受動回路の１つの実施形態を例示する機能概略図である。
【符号の説明】
４４，４６    インクジェットプリントヘッド
５６    差動信号レシーバ
７４    差動信号伝送ドライバ
７６    差動信号伝送レシーバ
７８，８２    第１端子
８０，８４    第２端子
８６    第１コンデンサ
８８    第２コンデンサ
９２    ２進パケット
９８    反転ビット
１００、１０２、９０、１０６、１０８、１１２、１１４、１１６  受動回路
２６，６２    能動回路
１００    第１ブリーダ抵抗器
１０２    第２ブリーダ抵抗器
１０４    ローカル接地
１０６    第１プルアップ抵抗器
１０８    第２のプルアップ抵抗器
１１０    ＤＣプルアップ電圧
１１２    第１成端抵抗器
１１４    第２成端抵抗器
【図１】
0003810712.tif 000007
【図２】
0003810712.tif 000008
【図３】
0003810712.tif 000009
【図４】
0003810712.tif 000010
【図５】
0003810712.tif 000011
【図６】
0003810712.tif 000012
【図７】
0003810712.tif 000013
【図８】
0003810712.tif 000014